(57)【要約】    【課題】  ギターなどの弦楽器において、弦の振動を効率よく本体に伝えるとともに、長期に使用しても、固定が緩んだり本体から脱落したりすることがなく、大幅な改造を施すことなく、本体に強固に密着固定されたナットの固定構造を得ることにある。【解決手段】  この課題を達成するナットの固定構造は、指板と、ナットに接する部分が厚くなっている構造のツキ板とに挟まれることにより、弦楽器本体に密着固定されているナットの固定構造である。さらに、前述のナットに接する部分が厚くなっている構造のツキ板は、ナットに接する部分にサポート部材が、該ツキ板に取り付けられた構造であることを特徴とする弦楽器本体に密着固定されているナットの固定構造である。【選択図】  図６
0003136507.tif 000002
【実用新案登録請求の範囲】
【請求項１】
指板と、ナットに接する部分が厚くなっている構造のツキ板とに挟まれることにより、弦楽器本体に密着固定されているナット。
【請求項２】
請求項１におけるツキ板は、ナットに接する部分にサポート部材が、該ツキ板に取り付けられた構造であることを特徴とする、弦楽器本体に密着固定されているナット。
【請求項３】
請求項２におけるサポート部材は角柱もしくは４分割円柱構造、あるいはそれらに装飾が施された構造である事を特徴とする、弦楽器本体に密着固定されているナット。
【請求項４】
指板のヘッド側端部に沿って設けられた本体の溝に嵌め込まれ、ナットに沿ってヘッド側に取り付けられたサポート部材により、弦楽器本体に密着固定されているナット。
【請求項５】
請求項４におけるサポート部材は角柱もしくは４分割円柱構造、あるいはそれらに装飾が施された構造である事を特徴とする、弦楽器本体に密着固定されているナット。
【考案の詳細な説明】
【技術分野】
【０００１】
本考案は、ギターなどの弦楽器本体に強固に密着固定されたナットに関し、特別に加工されたヘッドのツキ板、もしくはサポート部材の装着されたツキ板により、弦楽器本体に固定されたナットに関するものである。
【０００２】
ギターなどの弦楽器においては、図１に示すようにネック４とヘッド３との境界部分に取り付けられたナット１と共鳴胴５に取り付けられたブリッジ２の間に複数の弦７が張られ、この各弦７はヘッド３に取り付けられたペグ６により巻き上げられ張力が調整され、開放弦の音程が決められる。そして、ネックの指板の上に特定の間隔に埋め込まれた多数のフレット８を設け、このフレットの間を指で押さえ、振動する弦の長さを変えることにより音程を変え演奏が行われる。
【０００３】
このように、ナット１とブリッジ２の間に張られた弦の振動はネック４や共鳴胴５などの本体にナットやブリッジを経由して伝わるため、これらは本体に強固に密着固定されている必要がある。特にナットはネックの先端部分に取り付けられ、弦の一方の支点であるとともに、ナットに設けられた溝でヘッド側での各弦の間隔を決めている働きもしているため、弦の振動の影響も大きく、ナットは本体に強固に密着固定されていないと、使用中に外れたり、弦の振動が正確に本体へ伝わらなかったりすることがあり、ナットは本体にしっかりと固定されていることが必要である。
【０００４】
ナットの固定は図２に示すように、ネック４上の指板９とヘッド３上のツキ板１０によって挟まれることにより固定されるが、通常、指板の厚さは約５mm程度あるが、ツキ板の厚さは約２mm程度であり、挟み込む力はアンバランスとなる。そのためナットが本体から脱落しないように、指板とツキ板による挟み込みだけでなく、さらに接着剤を用いてナットを本体に接着固定している。しかしながら、ナットと本体の間に接着剤などが介在していると、弦の振動を効率よく本体に伝えることができず、音響的に好ましくない。特にナットの脱落などを防止するため、接着剤を厚くした場合や、振動に耐えるため柔軟な材質の接着剤を用いる場合は特に好ましくない。
【０００５】
一方、図３に示すように、ツキ板１０の厚さを厚くすれば、ナットの固定は安定するがツキ板が厚くなるとペグを埋め込むようになり、弦と干渉し好ましくなく、ペグの構造も併せて変更する必要があり、大幅な改造を必要とする。
【考案の開示】
【考案が解決しようとする課題】
【０００６】
本考案の課題は、ギターなどの弦楽器において、弦の振動を効率よく本体に伝えるとともに、長期に使用しても、固定が緩んだり本体から脱落したりすることがなく、大幅な改造を施すことなく、本体に強固に密着固定されたナットを得ることにある。
【課題を解決するための手段】
【０００７】
この課題を達成するナットは、指板と、ナットに接する部分が厚くなっている構造のツキ板とに挟まれることにより、弦楽器本体に密着固定されているナットである。
【０００８】
さらに、前述のナットに接する部分が厚くなっている構造のツキ板は、ナットに接する部分にサポート部材が、該ツキ板に取り付けられた構造であることを特徴とする弦楽器本体に密着固定されているナットである。
【０００９】
さらに、前述のサポート部材は角柱もしくは４分割円柱構造、あるいはそれらに装飾が施された構造である事を特徴とする、弦楽器本体に密着固定されているナットである。
【００１０】
さらに別の態様のナットは、指板のヘッド側端部に沿って設けられた本体の溝に嵌め込まれ、ナットに沿ってヘッド側に取り付けられたサポート部材により、弦楽器本体に密着固定されているナットである。
【００１１】
さらに、ナットに沿ってヘッド側に取り付けられたサポート部材は角柱もしくは４分割円柱構造、あるいはそれらに装飾が施された構造である事を特徴とする、弦楽器本体に密着固定されているナットである。
【００１２】
本考案のナットはギターなどの弦楽器で一般に用いられている、牛骨、プラスチック複合材料、人工象牙、金属などを用い、一般に使われているものと同様な形状に作られる。このナットはネックとヘッドの境界でネック上の指板とヘッド上のツキ板に挟み込まれ、弦楽器本体に密着固定されるが、このとき用いられるツキ板はナットに接する部分が厚くされており、指板と一緒にナットを挟み込む際の力のアンバランスを生じないようになっている。
【００１３】
ツキ板のナットに接する部分を厚くするには、ツキ板を作る際に、その部分のみ厚くなるように切削加工して作成することもできるが、通常のツキ板のナットに接する部分に角柱などのサポート部材を接着するなどして、取り付ければよい。図４から図１１にツキ板１０にサポート部材１１ａ〜１１ｄを取り付け、ナット１を本体に密着固定した例を示した。これらの例では四角柱、三角柱（楔形）である角柱を示したが、４分割円柱構造すなわち円柱を縦に４分割し、断面が直角の角度の扇形である円柱などツキ板とともにナットをしっかり押さえつけることのできる構造であれば特に限定されない。
【００１４】
さらに、サポート部材はヘッドの形状にあわせ各種の装飾を施すことも可能であり、例えば図６，７に示す三角柱（楔形）の刃先に相当する直線部分をヘッドの末端形状にあわせ、山型や波型、あるいはアーチ状にして装飾することも、弦楽器の外観の見栄えを良くするうえで好ましい。
【００１５】
サポート部材の材質は特に限定されないが、指板やツキ板と同じ材料である木質系の材料が好ましく用いられる。その他ナットに用いられる前述の材料を用いてもよい。サポート部材のツキ板への取り付けは、接着剤を用いて接着固定してもよいし、釘やネジを用いて固定してもよい。
【００１６】
また、本考案の他の態様としてツキ板を使用せず、ネックとヘッドの境界部分で指板のヘッド側端部に沿って溝を設け、その溝にナットを嵌め込む場合もある。この場合はサポート部材をナットに沿って、直接ヘッドの表面に取り付けることで、ナットを弦楽器本体に密着固定できるものである。
【００１７】
本考案のナットは指板とサポート部材を含むツキ板で挟み込むことにより、強固に本体に密着固定するできるものであるが、さらにナットと本体の間に接着剤を用いてもよい。しかし、本考案のナットは指板とサポート部材によりしっかりと固定できるので、接着剤を使用するにしてもごく少量として、音響への影響を避けるようにするのが好ましく、使用する接着剤も、硬質タイプの瞬間接着剤のように耐衝撃性には劣るものの、接着剤自体が硬く、音響への影響の少ないものが使用できる。
【考案の効果】
【００１８】
本考案のナットは指板とサポート部材を含むツキ板で挟み込むことにより、強固に本体に密着固定することができるため、接着剤を介しないか、使用してもわずかの量で済むため、弦の振動を効率よく本体に伝えることができ、音響的に好ましいものである。さらに長期の使用に際しても、ナットの脱落や緩みも発生することなく安定して使用できるものである。
【考案を実施するための最良の形態】
【００１９】
以下に本考案の具体的な構成について、図面を参照しながら説明するがこれは実施の態様の例であってこれに限定されるものではない。
【００２０】
図４および図５はネック４上にある指板９と、四角柱のサポート部材１１ａを取り付けた、ヘッド３上にあるツキ板１０とで、ナット１を挟みこみ、ヘッド３とネック４の境界部分にナット１を密着固定している構成を示している。図４はその断面図であり、図５は斜視図である。サポート部材は四角柱でツキ板１０に接着剤で接着固定されている。この場合、ツキ板とサポート材は、ペグ６や弦７に何の影響も与えず、ナット１を本体にしっかりと密着固定する役割を果たしている。
【００２１】
図６および図７はネック４上にある指板９と、三角柱（楔形）のサポート部材１１ｂを取り付けた、ヘッド３上にあるツキ板１０とで、ナット１を挟みこみ、ヘッド３とネック４の境界部分にナット１を密着固定している構成を示している。図６はその断面図であり、図７は斜視図である。サポート部材は三角柱（楔形）でツキ板１０に接着剤で接着固定されている。この場合、ツキ板とサポート材は、ペグ６や弦７に何の影響も与えず、ナット１を本体にしっかりと密着固定する役割を果たしている。この図の例ではサポート部材の刃先部分を直線としているが、山型としたりアーチ型としたりするなどして、種々の装飾を施し見栄えを良くすることもできる。
【００２２】
図８および図９はネック４上にある指板９と、四角柱のサポート部材１１ｃを取り付けた、ヘッド３上にあるツキ板１０とで、ナット１を挟みこみ、ヘッド３とネック４の境界部分にナット１を密着固定している構成を示している。図８はその断面図であり、図９は斜視図である。この場合のサポート部材１１ｃの高さは、ナット１より高く弦と干渉してしまうので、ナット１の弦溝にあわせ、弦溝１２が設けられている。このような構造とすることで、ツキ板とサポート材は、ペグ６や弦７に何の影響も与えず、ナット１を本体にしっかりと密着固定する役割を果たしている。
【００２３】
図１０および図１１はネック４上にある指板９と、三角柱（楔形）のサポート部材１１ｄを取り付けた、ヘッド３上にあるツキ板１０とで、ナット１を挟みこみ、ヘッド３とネック４の境界部分にナット１を密着固定している構成を示している。図１０はその断面図であり、図１１は斜視図である。この場合のサポート部材１１ｄの高さは、ナット１より高く弦と干渉してしまうので、ナット１の弦溝にあわせ、弦溝１２が設けられている。この場合、ツキ板とサポート材は、ペグ６や弦７に何の影響も与えず、ナット１を本体にしっかりと密着固定する役割を果たしている。
【００２４】
図１２はヘッド３部分にツキ板がなく、ナット１がヘッド３とネック４の境界部分の指板のヘッド側端部に沿って設けられた本体の溝１３に嵌め込まれ、サポート部材１１ｅをナット１に沿って、直接ヘッド３の表面に取り付けることで、ナット１を弦楽器本体に密着固定している例である。この構造の場合も、ツキ板９とサポート材１１ｅは、ペグ６や弦７に何の影響も与えず、ナット１を本体にしっかりと密着固定する役割を果たしている。
【産業上の利用可能性】
【００２５】
以上、本考案のナットはギター系の弦楽器に使われるものであるが、そのほかナットとサドルで弦を支持し、弦の音程を指板上にて指で押さえて決める、マンドリン、チター、バンジョー、ウクレレなどにも応用可能である。
【図面の簡単な説明】
【００２６】
【図１】ギターの全体図
【図２】従来のナット固定の説明断面図
【図３】厚いツキ板を用いたナット固定の説明断面図
【図４】本考案の四角柱のサポート部材取り付けたツキ板によるナット固定の説明断面図
【図５】本考案の四角柱のサポート部材取り付けたツキ板によるナット固定の説明斜視図
【図６】本考案の三角柱のサポート部材取り付けたツキ板によるナット固定の説明断面図
【図７】本考案の三角柱のサポート部材取り付けたツキ板によるナット固定の説明斜視図
【図８】本考案の四角柱のサポート部材取り付けたツキ板によるナット固定の説明断面図
【図９】本考案の四角柱のサポート部材取り付けたツキ板によるナット固定の説明斜視図
【図１０】本考案の三角柱のサポート部材取り付けたツキ板によるナット固定の説明断面図
【図１１】本考案の三角柱のサポート部材取り付けたツキ板によるナット固定の説明斜視図
【図１２】本考案の本体溝に嵌め込んだナット固定の説明断面図
【符号の説明】
【００２７】
１      ナット
２      ブリッジ
３      ヘッド
４      ネック
５      共鳴胴
６      ペグ
７      弦
８      フレット
９      指板
１０    ツキ板
１１ａ  サポート部材
１１ｂ  サポート部材
１１ｃ  サポート部材
１１ｄ  サポート部材
１２    サポート部材弦溝
１３    ナット埋込溝
【図１】
0003136507.tif 000003
【図２】
0003136507.tif 000004
【図３】
0003136507.tif 000005
【図４】
0003136507.tif 000006
【図５】
0003136507.tif 000007
【図６】
0003136507.tif 000008
【図７】
0003136507.tif 000009
【図８】
0003136507.tif 000010
【図９】
0003136507.tif 000011
【図１０】
0003136507.tif 000012
【図１１】
0003136507.tif 000013
【図１２】
0003136507.tif 000014
【手続補正書】
【提出日】平成19年8月27日(2007.8.27)
【手続補正１】
【補正対象書類名】実用新案登録請求の範囲
【補正対象項目名】全文
【補正方法】変更
【補正の内容】
【実用新案登録請求の範囲】
【請求項１】
指板と、ナットに接する部分が厚くなっている構造のツキ板とに挟まれることにより、弦楽器本体に密着固定されているナットの固定構造。
【請求項２】
請求項１におけるツキ板は、ナットに接する部分にサポート部材が、該ツキ板に取り付けられた構造であることを特徴とする、弦楽器本体に密着固定されているナットの固定構造。
【請求項３】
請求項２におけるサポート部材は角柱もしくは４分割円柱構造、あるいはそれらに装飾が施された構造である事を特徴とする、弦楽器本体に密着固定されているナットの固定構造。
【請求項４】
指板のヘッド側端部に沿って設けられた本体の溝に嵌め込まれ、ナットに沿ってヘッド側に取り付けられたサポート部材により、弦楽器本体に密着固定されているナットの固定構造。
【請求項５】
請求項４におけるサポート部材は角柱もしくは４分割円柱構造、あるいはそれらに装飾が施された構造である事を特徴とする、弦楽器本体に密着固定されているナットの固定構造。
【手続補正２】
【補正対象書類名】明細書
【補正対象項目名】全文
【補正方法】変更
【補正の内容】
【考案の詳細な説明】
【技術分野】
【０００１】
本考案は、ギターなどの弦楽器本体に強固に密着固定されたナットの固定構造に関し、特別に加工されたヘッドのツキ板、もしくはサポート部材の装着されたツキ板により、弦楽器本体に固定されたナットの固定構造に関するものである。
【背景技術】
【０００２】
ギターなどの弦楽器においては、図１に示すようにネック４とヘッド３との境界部分に取り付けられたナット１と共鳴胴５に取り付けられたブリッジ２の間に複数の弦７が張られ、この各弦７はヘッド３に取り付けられたペグ６により巻き上げられ張力が調整され、開放弦の音程が決められる。そして、ネックの指板の上に特定の間隔に埋め込まれた多数のフレット８を設け、このフレットの間を指で押さえ、振動する弦の長さを変えることにより音程を変え演奏が行われる。
【０００３】
このように、ナット１とブリッジ２の間に張られた弦の振動はネック４や共鳴胴５などの本体にナットやブリッジを経由して伝わるため、これらは本体に強固に密着固定されている必要がある。特にナットはネックの先端部分に取り付けられ、弦の一方の支点であるとともに、ナットに設けられた溝でヘッド側での各弦の間隔を決めている働きもしているため、弦の振動の影響も大きく、ナットは本体に強固に密着固定されていないと、使用中に外れたり、弦の振動が正確に本体へ伝わらなかったりすることがあり、ナットは本体にしっかりと固定されていることが必要である。
【０００４】
ナットの固定は図２に示すように、ネック４上の指板９とヘッド３上のツキ板１０によって挟まれることにより固定されるが、通常、指板の厚さは約５mm程度あるが、ツキ板の厚さは約２mm程度であり、挟み込む力はアンバランスとなる。そのためナットが本体から脱落しないように、指板とツキ板による挟み込みだけでなく、さらに接着剤を用いてナットを本体に接着固定している。しかしながら、ナットと本体の間に接着剤などが介在していると、弦の振動を効率よく本体に伝えることができず、音響的に好ましくない。特にナットの脱落などを防止するため、接着剤を厚くした場合や、振動に耐えるため柔軟な材質の接着剤を用いる場合は特に好ましくない。
【０００５】
一方、図３に示すように、ツキ板１０の厚さを厚くすれば、ナットの固定は安定するがツキ板が厚くなるとペグを埋め込むようになり、弦と干渉し好ましくなく、ペグの構造も併せて変更する必要があり、大幅な改造を必要とする。
【考案の開示】
【考案が解決しようとする課題】
【０００６】
本考案の課題は、ギターなどの弦楽器において、弦の振動を効率よく本体に伝えるとともに、長期に使用しても、固定が緩んだり本体から脱落したりすることがなく、大幅な改造を施すことなく、本体に強固に密着固定されたナットの固定構造を得ることにある。
【課題を解決するための手段】
【０００７】
この課題を達成するナットの固定構造は、指板と、ナットに接する部分が厚くなっている構造のツキ板とに挟まれることにより、弦楽器本体に密着固定されているナットの固定構造である。
【０００８】
さらに、前述のナットに接する部分が厚くなっている構造のツキ板は、ナットに接する部分にサポート部材が、該ツキ板に取り付けられた構造であることを特徴とする弦楽器本体に密着固定されているナットの固定構造である。
【０００９】
さらに、前述のサポート部材は角柱もしくは４分割円柱構造、あるいはそれらに装飾が施された構造である事を特徴とする、弦楽器本体に密着固定されているナットの固定構造である。
【００１０】
さらに別の態様のナットは、指板のヘッド側端部に沿って設けられた本体の溝に嵌め込まれ、ナットに沿ってヘッド側に取り付けられたサポート部材により、弦楽器本体に密着固定されているナットの固定構造である。
【００１１】
さらに、ナットに沿ってヘッド側に取り付けられたサポート部材は角柱もしくは４分割円柱構造、あるいはそれらに装飾が施された構造である事を特徴とする、弦楽器本体に密着固定されているナットの固定構造である。
【００１２】
本考案のナットはギターなどの弦楽器で一般に用いられている、牛骨、プラスチック複合材料、人工象牙、金属などを用い、一般に使われているものと同様な形状に作られる。このナットはネックとヘッドの境界でネック上の指板とヘッド上のツキ板に挟み込まれ、弦楽器本体に密着固定されるが、このとき用いられる本考案のナットの固定構造のツキ板はナットに接する部分が厚くされており、指板と一緒にナットを挟み込む際の力のアンバランスを生じないようになっている。
【００１３】
ツキ板のナットに接する部分を厚くするには、ツキ板を作る際に、その部分のみ厚くなるように切削加工して作成することもできるが、通常のツキ板のナットに接する部分に角柱などのサポート部材を接着するなどして、取り付ければよい。図４から図１１にツキ板１０にサポート部材１１ａ〜１１ｄを取り付け、ナット１を本体に密着固定した例を示した。これらの例では四角柱、三角柱（楔形）である角柱を示したが、４分割円柱構造すなわち円柱を縦に４分割し、断面が直角の角度の扇形である円柱などツキ板とともにナットをしっかり押さえつけることのできる構造であれば特に限定されない。
【００１４】
さらに、サポート部材はヘッドの形状にあわせ各種の装飾を施すことも可能であり、例えば図６，７に示す三角柱（楔形）の刃先に相当する直線部分をヘッドの末端形状にあわせ、山型や波型、あるいはアーチ状にして装飾することも、弦楽器の外観の見栄えを良くするうえで好ましい。
【００１５】
サポート部材の材質は特に限定されないが、指板やツキ板と同じ材料である木質系の材料が好ましく用いられる。その他ナットに用いられる前述の材料を用いてもよい。サポート部材のツキ板への取り付けは、接着剤を用いて接着固定してもよいし、釘やネジを用いて固定してもよい。
【００１６】
また、本考案の他の態様としてツキ板を使用せず、ネックとヘッドの境界部分で指板のヘッド側端部に沿って溝を設け、その溝にナットを嵌め込む場合もある。この場合はサポート部材をナットに沿って、直接ヘッドの表面に取り付けることで、ナットを弦楽器本体に密着固定できるものである。
【００１７】
本考案のナットの固定構造はナットを指板とサポート部材を含むツキ板で挟み込むことにより、強固に本体に密着固定するできるものであるが、さらにナットと本体の間に接着剤を用いてもよい。しかし、本考案のナットの固定構造はナットを指板とサポート部材によりしっかりと固定できるので、接着剤を使用するにしてもごく少量として、音響への影響を避けるようにするのが好ましく、使用する接着剤も、硬質タイプの瞬間接着剤のように耐衝撃性には劣るものの、接着剤自体が硬く、音響への影響の少ないものが使用できる。
【考案の効果】
【００１８】
本考案のナットの固定構造はナットを指板とサポート部材を含むツキ板で挟み込むことにより、強固に本体に密着固定することができるため、接着剤を介しないか、使用してもわずかの量で済むため、弦の振動を効率よく本体に伝えることができ、音響的に好ましいものである。さらに長期の使用に際しても、ナットの脱落や緩みも発生することなく安定して使用できるものである。
【考案を実施するための最良の形態】
【００１９】
以下に本考案の具体的な構成について、図面を参照しながら説明するがこれは実施の態様の例であってこれに限定されるものではない。
【００２０】
図４および図５はネック４上にある指板９と、四角柱のサポート部材１１ａを取り付けた、ヘッド３上にあるツキ板１０とで、ナット１を挟みこみ、ヘッド３とネック４の境界部分にナット１を密着固定している構成を示している。図４はその断面図であり、図５は斜視図である。サポート部材は四角柱でツキ板１０に接着剤で接着固定されている。この場合、ツキ板とサポート材は、ペグ６や弦７に何の影響も与えず、ナット１を本体にしっかりと密着固定する役割を果たしている。
【００２１】
図６および図７はネック４上にある指板９と、三角柱（楔形）のサポート部材１１ｂを取り付けた、ヘッド３上にあるツキ板１０とで、ナット１を挟みこみ、ヘッド３とネック４の境界部分にナット１を密着固定している構成を示している。図６はその断面図であり、図７は斜視図である。サポート部材は三角柱（楔形）でツキ板１０に接着剤で接着固定されている。この場合、ツキ板とサポート材は、ペグ６や弦７に何の影響も与えず、ナット１を本体にしっかりと密着固定する役割を果たしている。この図の例ではサポート部材の刃先部分を直線としているが、山型としたりアーチ型としたりするなどして、種々の装飾を施し見栄えを良くすることもできる。
【００２２】
図８および図９はネック４上にある指板９と、四角柱のサポート部材１１ｃを取り付けた、ヘッド３上にあるツキ板１０とで、ナット１を挟みこみ、ヘッド３とネック４の境界部分にナット１を密着固定している構成を示している。図８はその断面図であり、図９は斜視図である。この場合のサポート部材１１ｃの高さは、ナット１より高く弦と干渉してしまうので、ナット１の弦溝にあわせ、弦溝１２が設けられている。このような構造とすることで、ツキ板とサポート材は、ペグ６や弦７に何の影響も与えず、ナット１を本体にしっかりと密着固定する役割を果たしている。
【００２３】
図１０および図１１はネック４上にある指板９と、三角柱（楔形）のサポート部材１１ｄを取り付けた、ヘッド３上にあるツキ板１０とで、ナット１を挟みこみ、ヘッド３とネック４の境界部分にナット１を密着固定している構成を示している。図１０はその断面図であり、図１１は斜視図である。この場合のサポート部材１１ｄの高さは、ナット１より高く弦と干渉してしまうので、ナット１の弦溝にあわせ、弦溝１２が設けられている。この場合、ツキ板とサポート材は、ペグ６や弦７に何の影響も与えず、ナット１を本体にしっかりと密着固定する役割を果たしている。
【００２４】
図１２はヘッド３部分にツキ板がなく、ナット１がヘッド３とネック４の境界部分の指板のヘッド側端部に沿って設けられた本体の溝１３に嵌め込まれ、サポート部材１１ｅをナット１に沿って、直接ヘッド３の表面に取り付けることで、ナット１を弦楽器本体に密着固定している例である。この構造の場合も、ツキ板９とサポート材１１ｅは、ペグ６や弦７に何の影響も与えず、ナット１を本体にしっかりと密着固定する役割を果たしている。
【産業上の利用可能性】
【００２５】
以上、本考案のナットの固定構造はギター系の弦楽器に使われるものであるが、そのほかナットとサドルで弦を支持し、弦の音程を指板上にて指で押さえて決める、マンドリン、チター、バンジョー、ウクレレなどにも応用可能である。
【図面の簡単な説明】
【００２６】
【図１】ギターの全体図
【図２】従来のナットの固定構造の説明断面図
【図３】厚いツキ板を用いたナットの固定構造の説明断面図
【図４】本考案の四角柱のサポート部材取り付けたツキ板によるナットの固定構造の説明断面図
【図５】本考案の四角柱のサポート部材取り付けたツキ板によるナットの固定構造の説明斜視図
【図６】本考案の三角柱のサポート部材取り付けたツキ板によるナットの固定構造の説明断面図
【図７】本考案の三角柱のサポート部材取り付けたツキ板によるナットの固定構造の説明斜視図
【図８】本考案の四角柱のサポート部材取り付けたツキ板によるナットの固定構造の説明断面図
【図９】本考案の四角柱のサポート部材取り付けたツキ板によるナットの固定構造の説明斜視図
【図１０】本考案の三角柱のサポート部材取り付けたツキ板によるナットの固定構造の説明断面図
【図１１】本考案の三角柱のサポート部材取り付けたツキ板によるナットの固定構造の説明斜視図
【図１２】本考案の本体溝に嵌め込んだナットの固定構造の説明断面図
【符号の説明】
【００２７】
１      ナット
２      ブリッジ
３      ヘッド
４      ネック
５      共鳴胴
６      ペグ
７      弦
８      フレット
９      指板
１０    ツキ板
１１ａ  サポート部材
１１ｂ  サポート部材
１１ｃ  サポート部材
１１ｄ  サポート部材
１２    サポート部材弦溝
１３    ナット埋込溝